(57)【特許請求の範囲】
【請求項１】
壜体（１）の口筒（２）に、注出口を有する中栓体（１０）をアンダーカット結合により組み付けた容器であって、
前記壜体（１）は、口筒（２）の外周にネックリング（４）を突出させ、該ネックリング（４）の外周面に、外方に突出した係止突片（７）を具え、
前記中栓体（１０）は、アンダーカット結合により前記口筒（２）に組み付く組付き筒（１１）を具え、該組付き筒（１１）の外周に、把手部（２１）と、該把手部（２１）に連結し、前記中栓体（１０）の外周に沿って延びる分別取外し用の肉薄の弱化線（２５）を具え、上部に注出口開閉用の外キャップ（３０）を着脱自在に螺合させ、
更に組付き筒（１１）の下端部は、前記口筒（２）に中栓体（１０）を組み付けると、前記ネックリング（４）の外周に外側から組み付けられる内径を有し、かつ前記係止突片（７）に係合する係止溝（１９）を内周面に具え、前記外キャップ（３０）との共回りを防止するための係止部（５）を該係止溝（１９）と前記係止突片（７）から形成してなる分別キャップ付き容器。
【発明の詳細な説明】
【０００１】
【発明の属する技術分野】
本発明は、壜体口筒に組付けた分別取外し可能な中栓体に、外キャップを螺合組付けして構成した分別キャップ付き容器に関するものである。
【０００２】
【従来の技術】
液状食品等の容器として、注出口を有する中栓体を壜体口筒にアンダーカット結合により組付け、この中栓体に注出口開閉用の外キャップを着脱自在に螺合組付けして構成したものが広く使用されている。
【０００３】
また、近年、廃棄物の分別回収の見地から、壜体口筒に組付く中栓体に、破断可能な肉薄溝状の弱化線や肉薄部を予め形成し、廃棄時において、この弱化線や肉薄部を破断して、中栓体を壜体から容易に取外しできるようにしたものも使用されている。
【０００４】
【発明が解決しようとする課題】
しかしながら、上記した従来の分別キャップ付き容器にあっては、中栓体に弱化線や肉薄部を設けたことにより、壜体口筒に対する中栓体の組付きが緩み易い傾向にあるため、外キャップを回転させた際に中栓体が共回りしてしまい、外キャップを螺脱開放することができ難くなる恐れがある、と云う問題があった。
【０００５】
そこで、本発明は、上記した従来技術における問題点を解消すべく創案されたもので、分別キャップ付き容器において、外キャップ回転時における中栓体の共回りを防止することを技術的課題とし、もって常に確実に外キャップを螺脱開放できるようにすることを目的とする。
【０００６】
【課題を解決するための手段】
上記技術的課題を解決する本発明の内、第１の発明は、
注出口を有し、分別取外し用の肉薄の弱化線を設けた中栓体の組付き筒を、壜体の口筒外周にアンダーカット結合により組付けると共に、中栓体に注出口開閉用の外キャップを着脱自在に螺合組付けして構成される容器であること、
壜体の口筒外周に突周設したネックリングと、中栓体の組付き筒の下端部との間に、中栓体の外キャップとの共回り防止用の係止部を設けること、
にある。
【０００７】
壜体の口筒外周に中栓体の組付き筒を組付けると、壜体の口筒外周のネックリングと中栓体の組付き筒の下端部との間に設けた係止部が係止するので、外キャップ回転時における中栓体の共回りが防止され、常に確実に外キャップを螺脱開放することができると共に、壜体の口筒に対する中栓体の安定した組付きを強固に維持する。
【０００８】
中栓体の壜体からの分別時には、中栓体の組付き筒に形成されている弱化線の破断により、組付き筒の壜体口筒に対する組付き力が消滅するので、係止部の係止機能も消滅し、中栓体の壜体口筒からの分別が、係止部に邪魔されることなく円滑に達成される。
【０００９】
第２の発明は、第１の発明の構成に、共回り防止用の係止部を、ネックリングの上面と、組付き筒の下端面との間に設けた、ことを加えたものである。
【００１０】
この第２の発明においては、打栓動作およびアンダーカット結合力を利用して、係止部の係止機能を発揮させることができるので、係止部の構造の簡単化が可能となる。
【００１１】
第３の発明は、第１の発明の構成に、共回り防止用の係止部を、ネックリングの外周面と、組付き筒の下端部内周面との間に設けた、ことを加えたものである。
【００１２】
この第３の発明においては、壜体のネックリングに対する中栓体の組付き筒の外嵌組付き状態を利用して係止部を構成するので、打栓力およびアンダーカット結合力に影響されることなく、設定通りの強固で安定した係止能力を発揮することが可能となる。
【００１３】
第４の発明は、第１の発明の構成に、共回り防止用の係止部を、組付き筒の下端部に食込むべく、ネックリングに突設された複数の先鋭状の食込み突片により構成した、ことを加えたものである。
【００１４】
この第４の発明においては、打栓力をそのまま利用して係止部の係止を達成するもで、係止部の構造が簡単となる。
【００１５】
第５の発明は、第１の発明の構成に、共回り防止用の係止部を、ネックリングに突設された係止突片と、組付き筒の下端部に凹設され、係止突片が係止可能な係止溝と、から構成した、ことを加えたものである。
【００１６】
この第５の発明においては、打栓力に影響されることなく、設定通りの係止機能を発揮することができ、これにより安定した係止動作を発揮する。
【００１７】
【発明の実施の形態】
以下、本発明の実施例を、図面を参照しながら説明する。
図１〜図３は、本発明の第一実施例を示したもので、壜体１の上端に立設された口筒２の外周面には、アンダーカット結合用の係合溝３が略中央部に周設されていると共に、その下方にネックリング４が突周設されており、このネックリング４の上面に、共回り防止用の係止部５を構成する複数の先鋭状の食込み突片６が径方向に沿って突設されている。
【００１８】
比較的軟質な合成樹脂で一体成形された中栓体１０は、壜体１の係合溝３にアンダーカット結合する係合突条１２を内周面に周設した組付き筒１１の上端に、頂壁１３を介して、外周面に螺条１５を刻設した螺筒１４を連設し、さらにその上端に頂壁を介して、注出口を形成する注出筒１６を連設して構成されている。
【００１９】
この注出筒１６の下端は、破断溝の内側部分を除去壁部とした口壁１７で閉塞されており、この除去壁部は、その上面に一体設されたプルリング１８を使用時に引き上げることにより、破断溝部分で破断されて除去される。
【００２０】
中栓体１０の組付き筒１１の下端部は、口筒２に組付けた状態において、その下端面に食込み突片６が食込んで共回りが阻止されるに必要な長さに形成されている（図２、図３参照）。
【００２１】
中栓体１０の分別取外し機構２０は、組付き筒１１の一部に、外面がローレット状の把手部２１を設け、この把手部２１の片側に縦孔２２を開設すると共に、その下端部を肉薄部２３で連結し、把手部２１の上端の頂壁１３部分に、一端を縦孔２２に連続したスリット２４を開設すると共に、その先端から頂壁１３部分の略半周に亘って、肉薄溝状の弱化線２５を設けて構成されている。
【００２２】
分別取外し時には、把手部２１の先端を外方に引っ張って肉薄部２３を破断した後、そのまま把手部２１を摘んで後方へ引張って弱化線２５を後部まで破断すれば、中栓体１０を口筒２から容易に取外すことができる。
【００２３】
外キャップ３０は、その周壁３１の上部内周面に、中栓体１０の螺条１５に螺合する螺条が刻設されている。
【００２４】
図４は、本発明の第二実施例を示したもので、共回り防止用の係止部５を、壜体口筒２のネックリング４の上面に突設された複数のラッチ状の係止突片７と、中栓体１０の組付き筒１１の下端面に凹設され、係止突片７が周方向から係止可能な複数の係止溝１９と、から構成したものである。
【００２５】
図５、図６は、本発明の第三実施例を示したもので、共回り防止用の係止部５を、壜体口筒２のネックリング４の外周面に突設された複数のラッチ状の係止突片７と、中栓体１０の組付き筒１１の下端部内周面に凹設され、係止突片７が周方向から係止可能な複数の係止溝１９と、から構成している。
【００２６】
なお、係止突片７および係止溝１９を、それぞれローレット状に形成してもよく、また、ネックリング４の外周面に、組付き筒１１の下端部内周面に食込む食込み突片６を設けて構成してもよい。この食込み突片６で係止部５を構成する場合（第一実施例も含む）は、壜体１をＰＥＴ等の硬質樹脂材料製とするか、少なくとも口筒２だけは硬質材製とするのがよい。
【００２７】
図７、図８は、本発明の第四実施例を示したもので、中栓体１０の分別取外し機構２０を、組付き筒１１に開設した縦孔２２の片側の上端から略半周に亘って肉薄溝状の弱化線２５を設けると共に、下端から縦孔２２の他側へ把手片２６を突出延設し、この把手片２６の先端内面を、破断可能な細い接続片２７で組付き筒１１に連結して構成している。
【００２８】
また、共回り防止用の係止部５を、壜体口筒２のネックリング４の外周面に突設された複数のラッチ状の係止突片７と、中栓体１０の組付き筒１１の下端部内周面に凹設され、係止突片７が周方向から係止可能な複数の係止溝１９と、から構成している（図８参照）。
【００２９】
【発明の効果】
本発明は、上記した構成となっているので、以下に示す効果を奏する。
第１の発明にあっては、壜体の口筒に中栓体の組付き筒が組付くと、壜体のネックリングと組付き筒の下端部との間に設けた係止部が係止するので、外キャップ回転時における中栓体の共回りが防止され、分別取外し手段を設けた中栓体に対しても、常に確実に外キャップを螺脱開放することができる。
【００３０】
また、中栓体側の係止部は、分別取外し機構が設けられた組付き筒に設けられているので、組付き筒に対して分別操作を施すと同時に、壜体側の係止部との係止組付きが消滅し、これにより係止部が分別キャップの分別処理に悪影響を与えることがない。
【００３１】
第２の発明にあっては、打栓動作およびアンダーカット結合力を利用して、係止部の係止機能を発揮させることができるので、係止部の構造の簡単化が可能となる。
【００３２】
第３の発明にあっては、壜体のネックリングに対する中栓体の組付き筒の外嵌組付き状態を利用して係止部を構成するので、打栓力およびアンダーカット結合力に影響されることなく、設定通りの強固で安定した係止能力を発揮させることができ、強力で確実な共回り防止効果を発揮する。
【００３３】
第４の発明にあっては、打栓力をそのまま利用して係止部の係止を達成するので、係止部の構造が簡単となると共に、周方向に沿った位置合わせが不要であるので、壜体に対する中栓体の組付けが容易となる。
【００３４】
第５の発明にあっては、打栓力に影響されることなく、設定通りの係止機能を発揮することができ、これにより強固で安定した係止動作を発揮し、高い共回り防止効果を発揮する。
【図面の簡単な説明】
【図１】本発明の第一実施例を示す、分解状態の斜視図。
【図２】図１に示した実施例の、要部拡大縦断面図。
【図３】図２中、Ａ−Ａ線に沿った切断矢視図。
【図４】本発明の第二実施例を示す、図３と同位置の縦断面図。
【図５】本発明の第三実施例を示す、壜体上部の斜視図。
【図６】第三実施例の、要部拡大縦断面図。
【図７】本発明の第四実施例を示す、中栓体を壜体に組付けた状態の斜視図。
【図８】図７に示した実施例の、要部拡大半平断面図。
【符号の説明】
１  ；  壜体
２  ；  口筒
３  ；  係合溝
４  ；  ネックリング
５  ；  係止部
６  ；  食込み突片
７  ；  係止突片
１０；  中栓体
１１；  組付き筒
１２；  係合突条
１３；  頂壁
１４；  螺筒
１５；  螺条
１６；  注出筒
１７；  口壁
１８；  プルリング
１９；  係止溝
２０；  分別取外し機構
２１；  把手部
２２；  縦孔
２３；  肉薄部
２４；  スリット
２５；  弱化線
２６；  把手片
２７；  接続片
３０；  外キャップ
３１；  周壁
【図１】
0003928359.tif 000002
【図２】
0003928359.tif 000003
【図３】
0003928359.tif 000004
【図４】
0003928359.tif 000005
【図５】
0003928359.tif 000006
【図６】
0003928359.tif 000007
【図７】
0003928359.tif 000008
【図８】
0003928359.tif 000009